(57)【要約】【課題】オブジェクトを検索結果に対して付与するときのユーザの利便性を向上させることができる辞書機能を備える電子機器およびプログラムを提供すること。【解決手段】辞書機能を備える電子機器は、複数の項目と当該項目のそれぞれの内容とを対応付けて記憶する記憶部と、前記記憶部に記憶された項目と当該項目に対応する内容とを表示する表示部と、前記表示部に表示された前記項目に対応する内容の一部をユーザの指定に応じて注目箇所として選択する選択部と、前記選択部により選択された前記注目箇所と前記項目に対応する内容とを対応付けて前記記憶部に記憶させる対応付け部と、を備える。【選択図】図１
2015028771.tif 000002
【特許請求の範囲】
【請求項１】
複数の項目と当該項目のそれぞれの内容とを対応付けて記憶する記憶部と、
前記記憶部に記憶された項目と当該項目に対応する内容とを表示する表示部と、
前記表示部に表示された前記項目に対応する内容の一部をユーザの指定に応じて注目箇所として選択する選択部と、
前記選択部により選択された前記注目箇所と前記項目に対応する内容とを対応付けて前記記憶部に記憶させる対応付け部と、
を備えることを特徴とする辞書機能を備える電子機器。
【請求項２】
前記選択部により選択された前記注目箇所にオブジェクトを付与する付与部をさらに備えること
を特徴とする請求項１に記載の辞書機能を備える電子機器。
【請求項３】
前記付与部により前記注目箇所に付与される前記オブジェクトは、マーカ、アンダーライン、付箋のうち少なくともいずれか一つであり、
前記対応付け部は、前記表示部に前記項目と前記オブジェクトが付与された前記項目に対応する内容とを表示させること
を特徴とする請求項２に記載の辞書機能を備える電子機器。
【請求項４】
前記付与部により前記注目箇所に付与された前記オブジェクトを所定の条件により検索する検索部をさらに備えること
を特徴とする請求項２または請求項３に記載の辞書機能を備える電子機器。
【請求項５】
前記ユーザからの操作入力を受け付ける入力部をさらに備え、
前記対応付け部は、前記表示部に前記項目と前記オブジェクトが付与された前記項目に対応する内容とを表示しているときに、前記入力部が受け付けた前の操作に戻ることを表す操作入力に応じて、前記表示部に一つ前の画面を表示させること
を特徴とする請求項２から請求項４のいずれか一項に記載の辞書機能を備える電子機器。
【請求項６】
前記記憶部に記憶した注目箇所が、表示する項目の内容に含まれる場合に、前記注目箇所が表示されるように前記項目の内容を前記表示部に表示させる注目箇所表示制御部をさらに備えること
を特徴とする請求項１に記載の辞書機能を備える電子機器。
【請求項７】
前記記憶部に記憶した注目箇所と当該注目箇所の項目とから構成される単語帳を前記表示部に表示させる単語帳制御部をさらに備えること
を特徴とする請求項１に記載の辞書機能を備える電子機器。
【請求項８】
前記選択部により選択された前記注目箇所にコメントを付与するコメント管理部をさらに備えること
を特徴とする請求項１に記載の辞書機能を備える電子機器。
【請求項９】
前記選択部により選択された前記注目箇所と前記項目に対応する内容とを対応付けたオブジェクト情報を辞書毎に記憶するオブジェクト情報記憶部をさらに備えること
を特徴とする請求項１に記載の辞書機能を備える電子機器。
【請求項１０】
複数の項目と当該項目のそれぞれの内容とを対応付けて記憶する記憶部を有する辞書機能を備える電子機器のコンピュータに、
前記記憶部に記憶された項目と当該項目に対応する内容とを表示する表示ステップと、
前記表示ステップにおいて表示された前記項目に対応する内容の一部をユーザの指定に応じて注目箇所として選択する選択ステップと、
前記選択ステップにより選択された前記注目箇所と前記項目に対応する内容とを対応付けて前記記憶部に記憶させる対応付けステップと、
を実行させるためのプログラム。
【発明の詳細な説明】
【技術分野】
【０００１】
本発明は、辞書機能を備える電子機器およびプログラムに関する。
【背景技術】
【０００２】
電子辞書で単語帳登録した各登録単語にどのようなマーカが付されているのかを登録単語の一覧表示画面において確認するものがある。例えば、特許文献１に記載の技術は、辞書機能を備えた電子機器が、複数の項目とその項目の内容とを対応付けて記憶する辞書記憶手段と、当該任意の項目とその内容を表示する内容表示手段と、表示された項目とその内容のうちユーザ操作に応じて指定された範囲にユーザ操作に応じて指定された色でマーカを付加して色別に登録するマーカ情報登録手段と、表示されたマーカの色別の有無情報と対応付けて単語帳内の単語として登録し、ユーザ操作に応じて単語帳を呼び出して、マーカの色別の有り情報に応じた色マークと共に一覧表示する登録単語一覧表示手段と、一覧表示された単語帳内の項目からユーザ操作に応じて任意の項目を選択する項目選択手段と、選択された項目とその内容を辞書記憶手段により記憶された複数の項目とその内容の中から読み出し、該当する項目とその内容におけるマーカの色別の範囲に応じたマーカを付加して表示する選択項目表示手段と、を備えるものである。
【先行技術文献】
【特許文献】
【０００３】
【特許文献１】特開２０１１−１１３３９５号公報
【発明の概要】
【発明が解決しようとする課題】
【０００４】
しかしながら、特許文献１に記載の技術を用いても、検索結果に対してマーカを付与するとき、過去に付与したマーカの状態を確認できないという問題があった。このように、マーカなどのオブジェクトを検索結果に対して付与するときのユーザの利便性が十分でないという課題があった。
【０００５】
本発明は、上記の点に鑑みてなされたものであり、オブジェクトを検索結果に対して付与するときのユーザの利便性を向上させることができる辞書機能を備える電子機器およびプログラムを提供することを課題とする。
【課題を解決するための手段】
【０００６】
（１）本発明は上記の課題を解決するためになされたものであり、本発明の第１の態様は、複数の項目と当該項目のそれぞれの内容とを対応付けて記憶する記憶部と、前記記憶部に記憶された項目と当該項目に対応する内容とを表示する表示部と、前記表示部に表示された前記項目に対応する内容の一部をユーザの指定に応じて注目箇所として選択する選択部と、前記選択部により選択された前記注目箇所と前記項目に対応する内容とを対応付けて前記記憶部に記憶させる対応付け部と、を備えることを特徴とする辞書機能を備える電子機器である。
【０００７】
（２）また、本発明の第２の態様は、上述の辞書機能を備える電子機器であって、前記選択部により選択された前記注目箇所にオブジェクトを付与する付与部をさらに備えることを特徴とする辞書機能を備える電子機器である。
【０００８】
（３）また、本発明の第３の態様は、上述の辞書機能を備える電子機器であって、前記付与部により前記注目箇所に付与される前記オブジェクトは、マーカ、アンダーライン、付箋のうち少なくともいずれか一つであり、前記対応付け部は、前記表示部に前記項目と前記オブジェクトが付与された前記項目に対応する内容とを表示させることを特徴とする辞書機能を備える電子機器である。
【０００９】
（４）また、本発明の第４の態様は、上述の辞書機能を備える電子機器であって、前記付与部により前記注目箇所に付与された前記オブジェクトを所定の条件により検索する検索部をさらに備えることを特徴とする辞書機能を備える電子機器である。
【００１０】
（５）また、本発明の第５の態様は、上述の辞書機能を備える電子機器であって、前記ユーザからの操作入力を受け付ける入力部をさらに備え、前記対応付け部は、前記表示部に前記項目と前記オブジェクトが付与された前記項目に対応する内容とを表示しているときに、前記入力部が受け付けた前の操作に戻ることを表す操作入力に応じて、前記表示部に一つ前の画面を表示させることを特徴とする辞書機能を備える電子機器である。
【００１１】
（６）また、本発明の第６の態様は、上述の辞書機能を備える電子機器であって、前記記憶部に記憶した注目箇所が、表示する項目の内容に含まれる場合に、前記注目箇所が表示されるように前記項目の内容を前記表示部に表示させる注目箇所表示制御部をさらに備えることを特徴とする辞書機能を備える電子機器である。
【００１２】
（７）また、本発明の第７の態様は、上述の辞書機能を備える電子機器であって、前記記憶部に記憶した注目箇所と当該注目箇所の項目とから構成される単語帳を前記表示部に表示させる単語帳制御部をさらに備えることを特徴とする辞書機能を備える電子機器である。
【００１３】
（８）また、本発明の第８の態様は、上述の辞書機能を備える電子機器であって、前記選択部により選択された前記注目箇所にコメントを付与するコメント管理部をさらに備えることを特徴とする辞書機能を備える電子機器である。
【００１４】
（９）また、本発明の第９の態様は、上述の辞書機能を備える電子機器であって、前記選択部により選択された前記注目箇所と前記項目に対応する内容とを対応付けたオブジェクト情報を辞書毎に記憶するオブジェクト情報記憶部をさらに備えることを特徴とする辞書機能を備える電子機器である。
【００１５】
（１０）また、本発明の第１０の態様は、複数の項目と当該項目のそれぞれの内容とを対応付けて記憶する記憶部を有する辞書機能を備える電子機器のコンピュータに、前記記憶部に記憶された項目と当該項目に対応する内容とを表示する表示ステップと、前記表示ステップにおいて表示された前記項目に対応する内容の一部をユーザの指定に応じて注目箇所として選択する選択ステップと、前記選択ステップにより選択された前記注目箇所と前記項目に対応する内容とを対応付けて前記記憶部に記憶させる対応付けステップと、を実行させるためのプログラムである。
【発明の効果】
【００１６】
本発明の辞書機能を備える電子機器およびプログラムによれば、オブジェクトを検索結果に対して付与するときのユーザの利便性を向上させることができる。
【図面の簡単な説明】
【００１７】
【図１】本発明の第１の実施形態に係る電子辞書の構成の一例を示す概略ブロック図である。
【図２】本発明の第１の実施形態に係る辞書データ記憶部が記憶する辞書データの一例を示す概略図である。
【図３】本発明の第１の実施形態に係る表示部が表示する表示態様の一例を示す概略図である。
【図４】本発明の第１の実施形態に係る表示部が表示する表示態様の一例を示す概略図である。
【図５】本発明の第１の実施形態に係る表示部が表示する表示態様の一例を示す概略図である。
【図６】本発明の第１の実施形態に係る選択部および付与部によるオブジェクト付与処理の一例を示す概略図である。
【図７】本発明の第１の実施形態に係る表示部が表示する表示態様の一例を示す概略図である。
【図８】本発明の第１の実施形態に係る表示部が表示する表示態様の一例を示す概略図である。
【図９】本発明の第１の実施形態に係る選択部および付与部によるオブジェクト上塗り処理の一例を示す概略図である。
【図１０】本発明の第１の実施形態に係る制御部のオブジェクト付与処理の一例を示すフローチャートである。
【図１１】本発明の第２の実施形態に係る電子辞書の構成の一例を示す概略ブロック図である。
【図１２】本発明の第２の実施形態に係る表示部が表示する表示態様の一例を示す概略図である。
【図１３】本発明の第２の実施形態に係る表示部が表示する表示態様の一例を示す概略図である。
【図１４】本発明の第２の実施形態に係る表示部が表示する表示態様の一例を示す概略図である。
【図１５】本発明の第２の実施形態に係る制御部のオブジェクト移動処理の一例を示すフローチャートである。
【図１６】本発明の第３の実施形態に係る電子辞書の構成の一例を示す概略ブロック図である。
【図１７】本発明の第３の実施形態に係る表示部が表示する表示態様の一例を示す概略図である。
【図１８】本発明の第３の実施形態に係る表示部が表示する表示態様の一例を示す概略図である。
【図１９】本発明の第３の実施形態に係る表示部が表示する表示態様の一例を示す概略図である。
【図２０】本発明の第３の実施形態に係る制御部の単語帳制御処理の一例を示すフローチャートである。
【図２１】本発明の第４の実施形態に係る電子辞書の構成の一例を示す概略ブロック図である。
【図２２】本発明の第４の実施形態に係るオブジェクト情報記憶部が記憶するオブジェクト情報の一例を示す概略図である。
【図２３】本発明の第４の実施形態に係る表示部が表示する表示態様の一例を示す概略図である。
【図２４】本発明の第４の実施形態に係る表示部が表示する表示態様の一例を示す概略図である。
【図２５】本発明の第４の実施形態に係る制御部のオブジェクト情報記憶処理の一例を示すフローチャートである。
【図２６】本発明の第５の実施形態に係る電子辞書の構成の一例を示す概略ブロック図である。
【図２７】本発明の第５の実施形態に係るオブジェクト情報記憶部が記憶するオブジェクト情報の一例を示す概略図である。
【発明を実施するための形態】
【００１８】
（第１の実施形態）
以下、図面を参照しながら本発明の一実施形態について詳しく説明する。
図１は、本発明の一実施形態に係る電子辞書１０の構成の一例を示す概略ブロック図である。
辞書機能を備える電子機器の一例である電子辞書１０は、制御部２０と、記憶部３０と、タッチパネル６０と、を含んで構成される。制御部２０は、項目検索部２１と、選択部２２と、付与部２３と、対応付け部２４と、検索部２５と、を含んで構成される。記憶部３０は、辞書データ記憶部３１と、オブジェクト情報記憶部３２と、を含んで構成される。タッチパネル６０は、入力部４０と、表示部５０と、を含んで構成される。
【００１９】
制御部２０は、電子辞書１０が備える各部の制御を行う。例えば、制御部２０は、表示部５０の表示を制御する表示制御部として動作する。
記憶部３０は、電子辞書１０が備える各部が動作する際に用いるデータを記憶する。なお、記憶部３０は、外部記憶媒体であってもよい。この場合、電子辞書１０が外部記憶媒体に対する読み書きを行うことが可能なインタフェースを有し、電子辞書１０が当該外部記憶媒体に対して読み書きを行えばよい。
辞書データ記憶部３１は、複数種類の辞書データを記憶する。また、オブジェクト情報記憶部３２は、オブジェクト情報を記憶する。
【００２０】
入力部４０は、操作キーやタッチパネルなどの入力装置を備え、ユーザからの操作入力を受け付け、当該操作入力に応じた操作信号を制御部２０に出力する。
表示部５０は、例えば、液晶ディスプレイ、プラズマディスプレイ、有機ＥＬ（Ｅｌｅｃｔｒｏ  Ｌｕｍｉｎｅｓｃｅｎｃｅ）ディスプレイなどの表示装置を備え、文字や画像を表示する。
なお、本実施形態における電子辞書１０は、表示部５０と入力部４０とを兼ねたタッチパネル６０として、ユーザに文字や画像などを提示し、ユーザからの操作入力を受け付ける。
なお、電子辞書１０は、タッチパネル６０の他に入力部４０を設けてもよい。
【００２１】
より詳細に、電子辞書１０の各部の動作を説明する。
入力部４０は、ユーザから検索文字列の操作入力を受け付け、当該操作入力に応じた操作信号を項目検索部２１に出力する。ここで、検索文字列とは、見出し語、成句、例文、訳語などである。また、入力部４０は、後述するユーザが入力した検索文字列対応する項目（見出し語）の内容のうちの一部であって、ユーザが注目する任意の箇所である注目箇所の開始位置と当該注目箇所の終了位置とを指定する操作入力を受け付ける。そして、入力部４０は、受け付けた操作入力に応じた操作信号を選択部２２に出力する。また、入力部４０は、ユーザから後述するオブジェクトが付与された項目に対応する内容の検索を指示する操作入力を受付け、当該操作入力に応じた操作信号を検索部２５に出力する。
【００２２】
項目検索部２１は、入力部４０から入力された操作信号に基づいて、辞書データ記憶部３１が記憶する辞書データから検索文字列に対応する任意の項目と当該項目に対応する内容とを検索する。当該辞書データには、複数の項目と当該項目に対応付けられたそれぞれの内容とが含まれる。ここで、検索とは、見出し語検索、成句検索、例文検索、訳語検索、全文検索、部分一致検索、複数辞書による一括検索などである。そして、項目検索部２１は、検索した検索文字列に対応する項目と当該項目に対応する内容とを含む検索結果を表示部５０に表示させる。
なお、項目検索部２１は、辞書データから任意の項目と当該項目に対応する内容とを検索するときに、後述するオブジェクト情報が存在する場合、当該項目に対応するオブジェクト情報をオブジェクト記憶部から読み出して、任意の項目と当該項目に対応する内容と当該項目に対応する内容に該当するオブジェクトとを表示部５０に表示させる。
【００２３】
選択部２２は、入力部４０から入力された操作信号に基づいて、ユーザが入力した検索文字列対応する項目の内容のうちの一部の開始位置と終了位置との間を注目箇所として選択する。選択部２２は、選択した注目箇所を表す情報を付与部２３に出力する。
付与部２３は、選択部２２から入力された注目箇所を表す情報に含まれる注目箇所にオブジェクトを付与して、付与情報を生成する。ここで、オブジェクトとは、マーカ、アンダーライン、付箋などの文字や画像の一部に付与される印や記号、電子的付け紙などである。また、付与情報には、オブジェクトの色や種類、注目箇所に対してオブジェクトを付与した付与位置などが含まれる。付与部２３は、オブジェクトを付与した注目箇所を表す情報と付与情報とを対応付け部２４に出力する。
【００２４】
対応付け部２４は、付与部２３から入力されたオブジェクトを付与した注目箇所を表す情報と付与情報との対応付けを行う。具体的には、対応付け部２４は、オブジェクトが付与された注目箇所を表す情報から、注目箇所における項目に対応する内容の一部の文字列や画像などを、注目情報として抽出する。また、対応付け部２４は、当該項目に対応する項目の項目識別情報と当該項目が含まれる辞書データの辞書データ識別情報と当該項目に対応する内容における行を識別する行識別情報および列を識別する列識別情報とを識別情報として抽出する。そして、対応付け部２４は、抽出した注目情報と識別情報と付与情報とを対応付けて、オブジェクト情報としてオブジェクト情報記憶部３２に記憶させる。
【００２５】
検索部２５は、入力部４０から入力された操作信号に基づいて、オブジェクト情報記憶部３２からオブジェクト情報を読み出し、表示部５０に表示させる。具体的には、検索部２５は、オブジェクトを検索する対象（以下、オブジェクト検索対象と称する。）とするオブジェクトの種類、またはオブジェクト検索対象とする辞書データの範囲の少なくともいずれか一方を、所定の条件とし、当該所定の条件を満たすオブジェクト情報を、オブジェクト情報記憶部３２から読み出す。そして、検索部２５は、読み出したオブジェクト情報から、辞書データ識別情報が表す辞書データのアイコンと項目識別情報が表す項目と注目情報とを、オブジェクト検索結果として表示部５０に表示させる。
【００２６】
図２は、本発明の一実施形態に係る辞書データ記憶部３１が記憶する辞書データの一例を示す概略図である。
図示する例では、辞書データ記憶部３１は、英和辞書の辞書データとして、英和辞書Ａデータと、英和辞書Ｂデータと、英和辞書Ｃデータと、英和辞書Ｄデータと、の４種類の辞書データを記憶している。また、辞書データ記憶部３１は、英英辞書の辞書データとして、英英辞書Ａデータと、英英辞書Ｂデータと、英英辞書Ｃデータと、の３種類の辞書データを記憶している。また、辞書データ記憶部３１は、和英辞書の辞書データとして、和英辞書Ａデータと、和英辞書Ｂデータと、の２種類の辞書データを記憶している。また、辞書データ記憶部３１は、国語辞書の辞書データとして、国語辞書Ａデータと、国語辞書Ｂデータと、の２種類の辞書データを記憶している。
【００２７】
例えば、英和辞書Ａデータは、医学用語を収録しているデータであり、英和辞書Ｂデータは、学習用の用語を収録したデータであるなど、英和辞書Ａデータ、英和辞書Ｂデータ、英和辞書Ｃデータ、英和辞書Ｄデータはそれぞれ異なる辞書データである。同様に、英英辞書Ａデータ、英英辞書Ｂデータ、英英辞書Ｃデータは、それぞれ異なる辞書データであり、和英辞書Ａデータ、和英辞書Ｂデータは、それぞれ異なる辞書データであり、国語辞書Ａデータ、国語辞書Ｂデータは、それぞれ異なる辞書データである。
【００２８】
図３は、本発明の一実施形態に係る表示部５０が表示する表示態様の一例を示す概略図である。
表示画面例Ｇ６において、例えば、表示部５０は、左上部に「英和辞書Ａ」という文字列を、辞書名ＴＴ２として表示し、その下に検索メニューＫＭを表示する。検索メニューＫＭには、入力フォームＮＦと、アルファベット入力ボタンＣＳ１と、ひらがな入力ボタンＣＳ２と、漢字変換入力ボタンＣＳ３と、手書き入力ボタンＣＳ４が含まれる。
【００２９】
アルファベット入力ボタンＣＳ１が選択されると、入力フォームＮＦには、入力部４０が受け付けたアルファベットがそのまま入力される。ひらがな入力ボタンＣＳ２が選択されると、入力フォームＮＦには、入力部４０が受け付けたアルファベット入力をひらがなに変換したひらがなが入力される。漢字変換入力ボタンＣＳ３が選択されると、入力フォームＮＦには、入力部４０が受け付けたアルファベット入力を漢字に変換した漢字が入力される。手書き入力ボタンＣＳ４が選択されると、手書き入力フォームが表示し、当該手書き入力フォームにおいてユーザから手書き入力を受け付けて、当該手書き入力に応じた文字列が入力フォームＮＦに入力される。
【００３０】
例えば、ユーザが入力フォームＮＦに、検索文字列「ｐａｔｅｎｔ」を入力すると、項目検索部２１は、当該「ｐａｔｅｎｔ」に対応する項目を、英和辞書Ａデータから検索する。そして、項目検索部２１は、表示部５０に、当該「ｐａｔｅｎｔ」に対応する項目を領域Ａ４に一覧表示させる。
そして、ユーザは、領域Ａ４に表示された複数の項目の中からある項目、例えば、「ｐａｔｅｎｔ」に選択カーソルＳＡ３を移動させる。すると、項目検索部２１は、当該項目「ｐａｔｅｎｔ」に対応する内容の一部を、領域Ａ４より下の領域Ａ５に一時表示させる。そして、ユーザが当該項目「ｐａｔｅｎｔ」の内容の全部を確認する場合、当該項目「ｐａｔｅｎｔ」に選択カーソルＳＡ３を合わせた状態で、決定ボタンの押下などの次の画面を表示させる操作入力を行うと、項目検索部２１は、例えば、図４の表示画面例Ｇ７に示す項目「ｐａｔｅｎｔ」に対応する内容を、表示部５０に表示させる。
【００３１】
図４は、本発明の一実施形態に係る表示部５０が表示する表示態様の一例を示す概略図である。
表示画面例Ｇ７は、ユーザが図３において項目（見出し語）「ｐａｔｅｎｔ」を選択カーソルＳＡ３で選択し、項目検索部２１が表示部５０に当該項目「ｐａｔｅｎｔ」に対応する内容を表示させたときの一例である。表示画面例Ｇ７における領域Ａ６には、項目Ｍ（見出し語）「ｐａｔｅｎｔ」と当該項目Ｍ「ｐａｔｅｎｔ」に対応する内容が表示される。
当該項目Ｍ「ｐａｔｅｎｔ」に対応する内容から注目箇所の選択および当該注目箇所にオブジェクトを付与するときの一例を、図５の表示画面例Ｇ１、図６の表示画面例Ｇ２を参照して説明する。
【００３２】
図５は、本発明の一実施形態に係る表示部５０が表示する表示態様の一例を示す概略図である。
表示画面例Ｇ１において、例えば、表示部５０は、左上部に「英和辞書Ａ」という文字列を、辞書名ＴＴ１として表示し、辞書名ＴＴ１の下部の領域Ａ１に、項目Ｍ「ｐａｔ・ｅｎｔ」と当該項目Ｍに対する内容とを表示している。例えば、ユーザが表示画面例Ｇ１における下部において下から上向きにスワイプ操作をすると、選択部２２は、表示部５０に描画メニューＢＭを表示させる。当該描画メニューＢＭには、例えば、全消去ツールＢＴ１と、削除ツールＢＴ２と、青マーカツールＢＴ３と、黄マーカツールＢＴ４と、赤マーカツールＢＴ５と、アンダーラインツールＢＴ６と、付箋ツールＢＴ７と、リストツールＢＴ８といったオブジェクト操作ツールが含まれる。
【００３３】
全消去ツールＢＴ１は、項目Ｍに対する内容に付与されたオブジェクトを全て消去するオブジェクト操作ツールである。削除ツールＢＴ２は、項目Ｍに対する内容に付与された任意のオブジェクトの一部を削除するオブジェクト操作ツールである。青マーカツールＢＴ３、黄マーカツールＢＴ４、赤マーカツールＢＴ５は、それぞれ異なる色のマーカを描画するオブジェクト操作ツールであり、項目Ｍに対する内容の任意の一部にマーカを表すオブジェクトを付与するオブジェクト操作ツールである。アンダーラインツールＢＴ６は、項目Ｍに対する内容の任意の一部にアンダーライン（下線）を表すオブジェクトを付与するオブジェクト操作ツールである。付箋ツールＢＴ７は、項目Ｍに対する内容の任意の一部に付箋を表すオブジェクトを付与するオブジェクト操作ツールである。リストツールＢＴ８は、描画されたオブジェクトを確認するオブジェクト操作ツールであり、描画されたオブジェクトを一覧表示または個別表示で確認するオブジェクト操作ツールである。
【００３４】
例えば、ユーザが青マーカツールＢＴ３を選択すると、付与部２３は、表示画面例Ｇ１の領域Ａ１における左上端部の項目Ｍ「ｐａｔ・ｅｎｔ」の一部、例えば「ｐ」に青マーカを表すオブジェクトＫ１を表示させる。
なお、マーカツールは、色ごとでもよいし、線種ごとでもよいし、色と線種とを組み合わせたオブジェクト操作ツールであってもよい。
【００３５】
図６は、本発明の一実施形態に係る選択部２２および付与部２３によるオブジェクト付与処理の一例を示す概略図である。
表示画面例Ｇ２において、ユーザが青マーカツールＢＴ３を選択し、注目箇所の開始位置と終了位置とを操作入力に応じて、選択部２２は、領域Ａ１内の項目「ｐａｔｅｎｔ」に対する内容の一部「意匠特許」を含む領域ＹＡ１を注目箇所として選択する。付与部２３は、当該注目箇所に青色のマーカを表すオブジェクトＹ１を付与する。同様に、ユーザが黄マーカツールＢＴ４を選択し、注目箇所の開始位置と終了位置との操作入力に応じて、選択部２２は、「特許出願中」を含む領域ＹＡ２を注目箇所として選択し、付与部２３が当該注目箇所に黄色のマーカを表すオブジェクトＹ２を付与する。同様に、ユーザが赤マーカツールＢＴ５を選択し、注目箇所の開始位置と終了位置との操作入力に応じて、ユーザ操作に応じて、選択部２２は、「特許期限切れの」を含む領域ＹＡ３を注目箇所として選択し、付与部２３が当該注目箇所に赤色のマーカを表すオブジェクトＹ３を付与する。
このようにして、項目に対応する内容の一部に付与したオブジェクトを確認する場合、リストツールＢＴ８を選択して、描画されたオブジェクトを確認するときの一例を、図７の表示画面例Ｇ３を参照して説明する。
【００３６】
図７は、本発明の一実施形態に係る表示部５０が表示する表示態様の一例を示す概略図である。
図６の表示画面例Ｇ２における描画メニューＢＭにおいて、ユーザがリストツールＢＴ８を選択すると、図７の表示画面例Ｇ３において、検索部２５は、表示部５０にオブジェクト確認メニューＶＭを表示させる。そして、検索部２５は、当該オブジェクト確認メニューＶＭにおけるユーザ操作に応じて、オブジェクトの絞り込みを実施して、絞り込み結果を表示部５０に一覧表示させる。オブジェクト確認メニューＶＭには、現在訳ボタンＶＴ１と、全辞書ボタンＶＴ２と、選択辞書ボタンＶＴ３と、青マーカボタンＶＴ４と、黄マーカボタンＶＴ５と、赤マーカボタンＶＴ６と、アンダーラインボタンＶＴ７と、付箋ボタンＶＴ８と、が含まれる。ここで、現在訳ボタンＶＴ１と全辞書ボタンＶＴ２と選択辞書ボタンＶＴ３とは、辞書を絞り込むための辞書絞り込みボタンである。辞書絞り込みボタンは、オブジェクトが付与された注目箇所を検索する対象となる辞書を絞り込む所定の条件を設定する条件設定ボタンである。また、青マーカボタンＶＴ４と黄マーカボタンＶＴ５と赤マーカボタンＶＴ６とアンダーラインボタンＶＴ７と付箋ボタンＶＴ８とは、オブジェクトを絞り込むためのオブジェクト絞り込みボタンである。オブジェクト絞り込みボタンは、オブジェクトが付与された注目箇所を検索する所定の条件を設定する条件設定ボタンである。
【００３７】
現在訳ボタンＶＴ１は、オブジェクトが付与された注目箇所を検索する検索対象として、ユーザが参照中の辞書に対応する辞書データのみを選択する辞書絞り込みボタンである。また、全辞書ボタンＶＴ２は、オブジェクトが付与された注目箇所を検索する検索対象として、辞書データ記憶部３１に記憶された全ての辞書に対応する辞書データを選択する辞書絞り込みボタンである。また、選択辞書ボタンＶＴ３は、オブジェクトが付与された注目箇所を検索する検索対象として、ユーザが指定する辞書に対応する辞書データを選択する辞書絞り込みボタンである。
【００３８】
また、青マーカボタンＶＴ４、黄マーカボタンＶＴ５、赤マーカボタンＶＴ６は、それぞれの色のマーカオブジェクトが付与された注目箇所を絞り込むためのボタンである。例えば、ユーザが青マーカボタンＶＴ４を選択すると、検索部２５は、ユーザに辞書絞り込みボタンにより指定された辞書データおよびオブジェクト情報から、青マーカオブジェクトが付与された注目箇所のみを抽出する。そして、検索部２５は、抽出した青マーカオブジェクトが付与された注目箇所を表示部５０に表示させる。アンダーラインボタンＶＴ７は、アンダーラインオブジェクトが付与された注目箇所を絞り込むためのボタンであり、付箋ボタンＶＴ８は、付箋オブジェクトが付与された注目箇所を絞り込むためのボタンである。
【００３９】
表示画面例Ｇ３において、ユーザによりオブジェクト確認メニューＶＭで全辞書ボタンＶＴ２と青マーカボタンＶＴ４が選択されると、検索部２５は、青マーカオブジェクトが付与された注目箇所を、辞書データ記憶部３１に記憶された全ての辞書データから抽出し、抽出した注目箇所が含まれる辞書名ＮＡと項目ＭＡ（見出し語）と該当するオブジェクトが付与された注目箇所の文字列ＡＢＳとを領域Ａ２に表示させる。各辞書名ＮＡと項目ＭＡとオブジェクトが付与された注目箇所の文字列ＡＢＳとは、オブジェクト情報として対応付けられている。
【００４０】
例えば、領域Ａ２において、ユーザが表示された項目ＭＡの中から選択カーソルＳＡ１で項目ＪＴ１「ｏｆｆｉｃｅ」を選択すると、検索部２５は、当該項目ＪＴ１のオブジェクト情報の中において最初の青マーカオブジェクトと当該青マーカオブジェクトが付与された注目箇所の文字列ＡＢＳを含む、項目「ｏｆｆｉｃｅ」に対応する内容を所定の行数分、領域Ａ３に表示させる。例えば、領域Ａ２において、項目ＪＴ１の「ｏｆｆｉｃｅ」に選択カーソルＳＡ１を合わせると、表示部５０の領域Ａ３は、項目ＪＴ１「ｏｆｆｉｃｅ」の内容中に付与された青マーカオブジェクトが付与された最初の注目箇所「◆ｔｈｅ  Ｐａｔｅｎｔ  Ｏｆｆｉｃｅ」ＭＰ１を１行目として、項目ＪＴ１「ｏｆｆｉｃｅ」の中から４行分、表示部５０の領域Ａ３に一時表示させる。
【００４１】
図示する例では、領域Ａ３には、１行目に「◆ｔｈｅ  Ｐａｔｅｎｔ  Ｏｆｆｉｃｅ」ＭＰ１が表示され、２行目にその次の行である「特許局」ＭＰ２が表示され、３行目に「特許局」ＭＰ２の次の行である黄マーカオブジェクトが付与された注目箇所「ｔｈｅ  Ｐｒｉｎｔｉｎｇ  Ｏｆｆｉｃｅ」ＭＰ３が表示され、４行目に「ｔｈｅ  Ｐｒｉｎｔｉｎｇ  Ｏｆｆｉｃｅ」ＭＰ３の次の行であるアンダーラインオブジェクトが付与された注目箇所「印刷局」ＭＰ４が表示される。
そして、ユーザが選択カーソルＳＡ１を移動して項目ＪＴ２「ｐａｔｅｎｔ」に合わせた状態で、決定ボタンの押下などの次の画面を表示させる操作入力を行うと、検索部２５は、例えば、図４の表示画面例Ｇ７に示す項目「ｐａｔｅｎｔ」に対応する内容と当該内容に付与されたオブジェクトとを、表示部５０に表示させる。
【００４２】
なお、検索部２５は、領域Ａ３にオブジェクト確認メニューＶＭにて選択されたオブジェクト絞り込みボタンに応じたオブジェクトが付与された注目箇所を最初の行として表示させ、２行目以降にオブジェクトが付与された注目箇所を順に表示してもよい。
【００４３】
図８は、本発明の一実施形態に係る表示部５０が表示する表示態様の一例を示す概略図である。
表示画面例Ｇ４において、例えば、ユーザがオブジェクト確認メニューＶＭで選択辞書ボタンＶＴ３および黄マーカボタンＶＴ５を選択すると、検索部２５は、英和辞書Ａであることを表す「英和Ａ」というアイコンを辞書名ＮＡとして領域ＡＡ２に表示させる。そして、検索部２５は、当該「英和Ａ」の辞書データ中における黄マーカオブジェクトが付与された項目を領域ＡＡ２に一覧表示させる。ユーザが一覧表示されたオブジェクトが付与された項目から選択カーソルＳＡ２を移動させてオブジェクトが付与された注目箇所を選択すると、検索部２５は、選択カーソルＳＡ２で選択された項目に対応する黄マーカオブジェクトが付与された注目箇所を含む内容をオブジェクトＭＰ５、オブジェクトＭＰ６とともに領域ＡＡ３に表示させる。そして、ユーザが選択カーソルＳＡ２を移動して項目に合わせた状態で、決定ボタンの押下などの次の画面を表示させる操作入力を行うと、検索部２５は、項目に対応する内容と当該内容に付与されたオブジェクトとを、表示部５０に表示させる。
【００４４】
図９は、本発明の一実施形態に係る選択部２２および付与部２３によるオブジェクト上塗り処理の一例を示す概略図である。
図９に示した表示画面例Ｇ５は、項目「ｐａｔｅｎｔ」に対応する内容の一部にオブジェクトが付与されている状態のときに、図３に示した表示画面例Ｇ６においてユーザが項目「ｐａｔｅｎｔ」を選択カーソルＳＡ３で選択し、項目検索部２１が表示部５０に当該項目「ｐａｔｅｎｔ」に対応する内容を表示させたときの一例である。表示画面例Ｇ５には、上述のオブジェクト付与処理により、項目Ｍに対応する内容の一部にオブジェクトが付与されている。例えば、項目検索部２１は、オブジェクト情報記憶部３２から項目「ｐａｔｅｎｔ」に対応するオブジェクト情報を読み出す。そして、項目検索部２１は、読み出したオブジェクト情報に基づいて、注目箇所「意匠特許」にオブジェクト「青色のマーカ」を付加して表示し、注目箇所「特許出願中」にオブジェクト「黄色のマーカ」を付加して表示し、注目箇所「特許期限切れの」にオブジェクト「赤色のマーカ」を付加して表示する。例えば、既に赤マーカオブジェクトが付与されている領域ＹＡ３の一部の領域ＹＡ４を他のオブジェクト、例えば黄マーカツールＢＴ４を用いて上塗りするとき、選択部２２は、領域ＹＡ３の「特許期限切れの」中の領域ＹＡ４である「切れの」に対して黄マーカで上塗りする。
そして、ユーザがオブジェクト付与処理を終え、入力部４０にて戻るボタンを押下するなどの前の画面に戻ることを表す操作入力を行うと、対応付け部２４は、一つ前（直前）の画面、例えば、検索文字列の入力を受け付ける検索画面(或いは、図３の表示画面例Ｇ５)に遷移する。
【００４５】
図１０は、本発明の一実施形態に係る制御部２０のオブジェクト付与処理の一例を示すフローチャートである。
ステップＳＴ１０１において、入力部４０は、検索文字列の入力を受け付ける。
ステップＳＴ１０２において、項目検索部２１は、入力部４０が受け付けた検索文字列を辞書データから検索する。
【００４６】
ステップＳＴ１０３において、項目検索部２１は、検索した検索文字列の項目に対応する内容の一部にオブジェクトが付与されているか否かを判定する。オブジェクトが付与されている場合、ステップＳＴ１０４に進む。一方、オブジェクトが付与されていない場合、ステップＳＴ１０５に進む。
ステップＳＴ１０４において、項目検索部２１は、付与されたオブジェクトとともに、検索した検索文字列の検索結果を表示部５０に表示させる。具体的には、項目検索部２１は、オブジェクト情報記憶部３２から、当該項目に対応するオブジェクト情報（注目情報と識別情報と付与情報）を読み出し、読み出した付与情報のオブジェクトを読み出した注目情報の注目箇所に付加して検索結果を表示部５０に表示させる（例えば、図９参照）。
ステップＳＴ１０５において、項目検索部２１は、検索した検索文字列の検索結果を表示部５０に表示させる（例えば、図４参照）。
【００４７】
ステップＳＴ１０６において、選択部２２は、ユーザが描画メニューを表示させるためのスワイプ操作を検出したか否かを判定し、スワイプ操作を検出した場合、描画開始としてステップＳＴ１０７に進む。一方、スワイプ操作を検出していない場合、ステップＳＴ１０１に戻る。
【００４８】
ステップＳＴ１０７において、選択部２２は、描画メニューを表示部５０に表示させる。
ステップＳＴ１０８において、付与部２３は、ユーザ操作により選択されたオブジェクトツールをオブジェクト描画ツールとして登録する。
ステップＳＴ１０９において、選択部２２は、ユーザ操作により注目箇所を選択し、当該選択箇所において既にオブジェクトが付与されているか否かを判定する。既にオブジェクトが付与されている場合、ステップＳＴ１１０に進む。一方、オブジェクトが付与されていない場合、ステップＳＴ１１１に進む。
【００４９】
ステップＳＴ１１０において、付与部２３は、オブジェクトの上書き（上塗り）描画モードに設定する。
ステップＳＴ１１１において、付与部２３は、オブジェクトの新規描画モードに設定する。
ステップＳＴ１１２において、付与部２３は、ステップＳＴ１０６で選択された描画ツールに応じたオブジェクトを選択部２２により選択された注目箇所に付与する。そして、付与部２３は、オブジェクトを付与した注目箇所を表示部５０に表示させる。
【００５０】
ステップＳＴ１１３において、対応付け部２４は、入力部４０にて戻るボタンを押下するなどの前の画面に戻ることを表す操作信号を検知すると、一つ前の画面、例えば、検索文字列の入力を受け付ける検索画面に遷移し、ステップＳＴ１０１に戻る。一方、前の画面に戻ることを表す操作信号を検知しない場合、ステップＳＴ１０７に戻り、オブジェクト付与処理を継続する。
【００５１】
このように、本実施形態によれば、辞書機能を備える電子機器（電子辞書１０）は、複数の項目と当該項目のそれぞれの内容とを対応付けて辞書データを記憶する記憶部３０と、記憶部３０に記憶された検索文字列に対応する項目と当該項目に対応する内容とを表示する表示部５０と、表示部５０に表示された検索文字列に対応する項目に対応する内容の一部、例えば、オブジェクトを付与する箇所をユーザの指定に応じて注目箇所として選択する選択部２２と、選択部２２により選択された注目箇所と検索文字列に対応する項目に対応する内容とを関連付けて単語帳ではない辞書データと同じ記憶部３０に記憶させる対応付け部２４と、を備える。
【００５２】
これにより、辞書機能を備える電子機器（電子辞書１０）は、注目箇所と辞書データの項目に対応する内容とを対応づけて記憶部３０に記憶することで、項目検索部２１が検索文字列を検索するときに、当該検索文字列に対応する注目箇所と当該検索文字列に対応する項目の内容とを一緒に表示部５０に表示させることができ、選択部２２は、表示部５０に表示された項目に対応する内容の中からさらに注目箇所を選択できる。このように、辞書機能を備える電子機器（電子辞書１０）は、オブジェクトを検索結果に対して付与するとき、辞書データとともにオブジェクト情報を読み出すことができるため、ユーザは紙媒体の辞書に対して書き込みを行うのと同様にマーカやアンダーライン、付箋などのオブジェクトを付与することができるため、ユーザの利便性を向上させることができる。
【００５３】
なお、辞書機能を備える電子機器（電子辞書１０）は、オブジェクト情報を、ネットワークを介して他の辞書機能を備える電子機器に送信してもよいし、オブジェクト情報を外部記憶媒体に記憶させ、当該外部記憶媒体を他の辞書機能を備える電子機器で参照してもよい。この場合、当該外部記憶媒体を読み出し可能な辞書機能を備える電子機器は、項目検索部が、辞書データから項目と当該項目に対応する内容とを検索するときに、当該項目に対応するオブジェクト情報を外部記憶媒体から読み出して、項目と当該項目に対応する内容とオブジェクトとを表示部に表示させればよい。
【００５４】
なお、本実施形態において、辞書の項目に対応する内容に対してオブジェクトを付与する場合について説明したが、コンテンツ、例えば、電子書籍やテキストファイル、プレゼンテーションファイルなどの内容に対してオブジェクトを付与してもよい。
【００５５】
（第２の実施形態）
次に、本発明の第２の実施形態について説明する。図１１は、本実施形態に係る電子辞書１０ａの構成の一例を示す概略ブロック図である。なお、本図において、図１に示す電子辞書１０と同一の構成には同一の符号を付し、その説明を省略する。本実施形態における電子辞書１０ａは、第１の実施形態における電子辞書１０の制御部２０に代えて制御部２０ａを備える。制御部２０ａは、第１の実施形態における制御部２０の構成に加えて注目箇所表示制御部２１１を備える。
【００５６】
注目箇所表示制御部２１１は、オブジェクト情報記憶部３２に記憶されているオブジェクト情報の注目箇所（オブジェクトの付与された注目箇所）が、表示部５０に表示する項目の内容に含まれる場合に、当該注目箇所が画面内に表示されるように項目の内容を表示部５０に表示させる。また、注目箇所表示制御部２１１は、項目の内容に複数の注目箇所がある場合には、入力部４０から入力される操作信号に基づいて、画面をスクロール（移動）させて、注目箇所を順に表示部５０に表示させる。例えば、注目箇所表示制御部２１１は、項目の内容における各注目箇所の行列に基づいて注目箇所を表示させる順を決定する。
【００５７】
図１２は、本実施形態に係る表示部５０が表示する表示態様の一例を示す概略図である。本図は、オブジェクト情報のある項目（見出し語）「ｔａｋｅ」の表示画面例Ｇ１１である。注目箇所表示制御部２１１は、オブジェクト情報のある項目の内容を表示する際に、表示部５０の上部にオブジェクト情報があることを示す「マーカ有」ＭＥを表示する。また、注目箇所表示制御部２１１は、オブジェクトの付与された注目箇所を参照するためのポップアップＭＩを表示部５０に表示する。ポップアップＭＩには、説明「マーカを引いてある見出し語です。マーカ箇所を参照しますか？」と、注目箇所を参照するイエスボタンＭＩ１と、注目箇所を参照しないノーボタンＭＩ２とが表示されている。注目箇所表示制御部２１１は、イエスボタンＭＩ１が選択されると、オブジェクトが付与された注目箇所まで画面をスクロールして表示部５０に表示する。また、注目箇所表示制御部２１１は、ノーボタンＭＩ２が選択されると、ポップアップＭＩを非表示にする。
【００５８】
図１３は、本実施形態に係る表示部５０が表示する表示態様の一例を示す概略図である。本図は、表示画面例Ｇ１１においてイエスボタンＭＩ１が選択された場合に表示される表示画面例Ｇ１２である。注目箇所表示制御部２１１は、オブジェクトが付与された最初の注目箇所「９ａ  ○○・・・○○  文」Ｍ１が最上部になるように画面をスクロール（移動）して表示部５０に表示させる。また、注目箇所表示制御部２１１は、オブジェクトが付与された注目箇所を移動するためのポップアップＭＭを表示部５０に表示する。ポップアップＭＭは、説明「マーカ箇所を移動します。」と、次の注目箇所に移動するための次マーカボタンＭＭ１と、前の注目箇所に移動するための前マーカボタンＭＭ２と、移動を中止するためのキャンセルボタンＭＭ３とが表示されている。注目箇所表示制御部２１１は、次マーカボタンＭＭ１が選択されると、次の注目箇所まで画面をスクロールして表示部５０に表示させる。また、注目箇所表示制御部２１１は、前マーカボタンＭＭ２が選択されると、前の注目箇所まで画面をスクロールして表示部５０に表示させる。また、注目箇所表示制御部２１１は、キャンセルボタンＭＭ３が選択されると、ポップアップＭＭを非表示にする。
【００５９】
図１４は、本実施形態に係る表示部５０が表示する表示態様の一例を示す概略図である。本図は、表示画面例Ｇ１２において次マーカボタンＭＭ１が選択された場合に表示される表示画面例Ｇ１３である。注目箇所表示制御部２１１は、オブジェクトが付与された次の注目箇所「５ａ  ○○・・・○○  文」Ｍ２が最上部になるように画面をスクロールして表示部５０に表示させる。また、注目箇所表示制御部２１１は、表示画面例Ｇ１３において、前マーカボタンＭＭ２が選択されると、前の注目箇所まで画面をスクロールして表示画面例Ｇ１２を表示部５０に表示させる。
【００６０】
図１５は、本実施形態に係る制御部２０ａのオブジェクト移動処理の一例を示すフローチャートである。注目箇所表示制御部２１１は、上述したステップＳＴ１０４の処理において、本図に示す処理を実行する。
【００６１】
（ステップＳＴ２０１）注目箇所表示制御部２１１は、オブジェクトが付与された注目箇所を参照する指示が入力されたか否かを判定する。具体的には、注目箇所表示制御部２１１は、ポップアップＭＩ（例えば、図１２参照）を表示部５０に表示し、ポップアップＭＩに表示されたイエスボタンＭＩ１が選択された場合に、注目箇所を参照する指示が入力されたと判定する。注目箇所を参照する指示が入力されたと注目箇所表示制御部２１１が判定した場合には、ステップＳＴ２０２の処理に進む。また、注目箇所を参照する指示が入力されていない場合には、処理を終了する。
【００６２】
（ステップＳＴ２０２）注目箇所表示制御部２１１は、最初の注目箇所まで画面をスクロール（移動）して表示部５０に表示する。その後、ステップＳＴ２０３の処理に進む。
【００６３】
（ステップＳＴ２０３）注目箇所表示制御部２１１は、次の注目箇所を表示する指示が入力されたか否かを判定する。具体的には、注目箇所表示制御部２１１は、ポップアップＭＭ（例えば、図１３参照）を表示部５０に表示し、ポップアップＭＭに表示された次マーカボタンＭＭ１が選択された場合に、次の注目箇所を表示する指示が入力されたと判定する。次の注目箇所を表示する指示が入力されたと注目箇所表示制御部２１１が判定した場合には、ステップＳＴ２０４の処理に進む。また、次の注目箇所を表示する指示が入力されていないと注目箇所表示制御部２１１が判定した場合には、ステップＳＴ２０５の処理に進む。
【００６４】
（ステップＳＴ２０４）注目箇所表示制御部２１１は、次の注目箇所まで画面をスクロール（移動）して表示部５０に表示する。その後、ステップＳＴ２０５の処理に進む。
【００６５】
（ステップＳＴ２０５）注目箇所表示制御部２１１は、前の注目箇所を表示する指示が入力されたか否かを判定する。具体的には、注目箇所表示制御部２１１は、ポップアップＭＭに表示された前マーカボタンＭＭ２が選択された場合に、前の注目箇所を表示する指示が入力されたと判定する。前の注目箇所を表示する指示が入力されたと注目箇所表示制御部２１１が判定した場合には、ステップＳＴ２０６の処理に進む。また、前の注目箇所を表示する指示が入力されていないと注目箇所表示制御部２１１が判定した場合には、ステップＳＴ２０７の処理に進む。
【００６６】
（ステップＳＴ２０６）注目箇所表示制御部２１１は、前の注目箇所まで画面をスクロール（移動）して表示部５０に表示する。その後、ステップＳＴ２０７の処理に進む。
【００６７】
（ステップＳＴ２０７）注目箇所表示制御部２１１は、注目箇所の移動を中止（キャンセル）する指示が入力されたか否かを判定する。具体的には、注目箇所表示制御部２１１は、ポップアップＭＭに表示されたキャンセルボタンＭＭ３が選択された場合に、注目箇所の移動を中止する指示が入力されたと判定する。注目箇所の移動を中止する指示が入力されたと注目箇所表示制御部２１１が判定した場合には、処理を終了する。また、注目箇所の移動を中止する指示が入力されていないと注目箇所表示制御部２１１が判定した場合には、ステップＳＴ２０３の処理に戻る。
【００６８】
このように、本実施形態によれば、辞書機能を備える電子機器（電子辞書１０ａ）は、電子辞書１０の構成に加えて、オブジェクト情報記憶部３２に記憶した注目箇所が、表示する項目の内容に含まれる場合に、当該注目箇所が表示されるように項目の内容を表示部５０に表示させる注目箇所表示制御部２１１を備える。
【００６９】
これにより、辞書機能を備える電子機器（電子辞書１０ａ）は、オブジェクト情報のある項目を表示する際に、オブジェクトの付与された注目箇所まで自動的に画面をスクロール（移動）して表示部５０に表示することができる。このため、ユーザはオブジェクトの付与された注目箇所を容易に確認することができるため、ユーザの利便性を向上させることができる。
【００７０】
（第３の実施形態）
次に、本発明の第３の実施形態について説明する。図１６は、本実施形態に係る電子辞書１０ｂの構成の一例を示す概略ブロック図である。なお、本図において、図１に示す電子辞書１０と同一の構成には同一の符号を付し、その説明を省略する。本実施形態における電子辞書１０ｂは、第１の実施形態における電子辞書１０の制御部２０に代えて制御部２０ｂを備え、記憶部３０に代えて記憶部３０ｂを備える。制御部２０ｂは、第１の実施形態における制御部２０の構成に加えて単語帳制御部２２１を備える。記憶部３０ｂは、第１の実施形態における記憶部３０の構成に加えて単語帳データ記憶部３３を備える。
【００７１】
単語帳制御部２２１は、オブジェクト情報記憶部３２に記憶したオブジェクト情報の項目と当該項目の注目箇所とから構成される単語帳を生成し、生成した単語帳を表示部５０に表示させる。単語帳に含める項目は、辞書の種類やオブジェクトの種類等により絞り込むことができる。
【００７２】
単語帳データ記憶部３３は、単語帳にある各項目の内容（注目箇所）を覚えていたか忘れていたかを示す学習結果を記憶する。
【００７３】
図１７は、本実施形態に係る表示部５０が表示する表示態様の一例を示す概略図である。本図は、入力部４０が単語帳の表示を指示する入力を受け付けた場合に、表示部５０に表示される単語帳の表示画面例Ｇ２１である。表示画面例Ｇ２１は、辞書として「英和辞書Ａ」が選択され、オブジェクトとして「青マーカオブジェクト」が選択された場合における単語帳の表示画面例である。単語帳制御部２２１は、本例の場合、英和辞書Ａにある項目であって、青マーカオブジェクトが付与された項目をオブジェクト情報記憶部３２から読み出し、読み出した項目と青マーカオブジェクトが付与された注目箇所とからなる単語帳を生成する。そして、単語帳制御部２２１は、生成した単語帳の項目と注目箇所とを対応付けて順（例えばアルファベット順）に領域ＡＡ２１に一覧表示する。このとき、単語帳制御部２２１は、直近の過去３回における学習結果ＲＬを各項目に対応付けて表示する。学習結果は、各項目の注目箇所を覚えていたか忘れていたかを示す。学習結果「○」は覚えていたことを示し、学習結果「×」は忘れていたことを示す。また、単語帳制御部２２１は、一覧表示された項目のうち、選択カーソルＳＡ２１のある項目「ａｂｏａｒｄ」の青マーカオブジェクトが付与された注目箇所「前  ○○・・・○○」ＭＰ２１が最上部になるように項目「ａｂｏａｒｄ」の内容を領域ＡＡ２２に表示する。
【００７４】
単語帳制御部２２１は、学習結果クリアボタンＣＲが選択されると、単語帳データ記憶部３３が記憶している学習結果を削除して、学習結果ＲＬをクリアする。また、単語帳制御部２２１は、学習開始ボタンＳＴが選択されると、選択カーソルＳＡ２１のある項目「ａｂｏａｒｄ」の暗記カードを表示部５０に表示する。暗記カードは、表が項目、裏が注目箇所の単語カードである。
【００７５】
図１８は、本実施形態に係る表示部５０が表示する表示態様の一例を示す概略図である。本図は、表示画面例Ｇ２１において学習開始ボタンＳＴが選択された場合に表示される表示画面例Ｇ２２である。単語帳制御部２２１は、表示画面例Ｇ２１において学習開始ボタンＳＴが選択されると、選択カーソルＳＡ２１のある項目「ａｂｒｏａｄ」ＷＤ１と、覚えていたボタンＲＷと、忘れていたボタンＦＷと、確認ボタンＣＫと、ポップアップＣＤとを表示部５０に表示する。ポップアップＣＤには、説明「暗記カード」と、次カードボタンＣＤ１と、前カードボタンＣＤ２と、中止ボタンＣＤ３とが表示されている。
【００７６】
単語帳制御部２２１は、次カードボタンＣＤ１が選択されると、単語帳の次の項目の暗記カードを表示部５０に表示する。また、単語帳制御部２２１は、前カードボタンＣＮが選択されると、単語帳の前の項目の暗記カードを表示部５０に表示する。また、単語帳制御部２２１は、中止ボタンＣＤ３が選択されると、学習を中止して、表示部５０の表示を表示画面例Ｇ２１に戻す。
【００７７】
単語帳制御部２２１は、覚えていたボタンＲＷが選択されると、当該項目「ａｂｒｏａｄ」に対応する学習結果に覚えていたことを示すデータ「○」を書き込んで単語帳データ記憶部３３に記憶する。また、単語帳制御部２２１は、忘れていたボタンＦＷが選択されると、当該項目「ａｂｒｏａｄ」に対応する学習結果に忘れていたことを示すデータ「×」を書き込んで単語帳データ記憶部３３に記憶する。また、単語帳制御部２２１は、確認ボタンＣＫが選択されると、項目「ａｂｒｏａｄ」において青マーカオブジェクトが付与された注目箇所を表示部５０に表示する。
【００７８】
図１９は、本実施形態に係る表示部５０が表示する表示態様の一例を示す概略図である。本図は、表示画面例Ｇ２２において確認ボタンＣＫが選択された場合に表示される表示画面例Ｇ２３である。単語帳制御部２２１は、表示画面例Ｇ２２において確認ボタンＣＫが選択されると、領域ＡＡ２３に当該項目「ａｂｒｏａｄ」を表示するとともに、領域ＡＡ２４に当該項目「ａｂｒｏａｄ」に対応する内容と戻るボタンＢＫとを表示する。単語帳制御部２２１は、項目に対応する内容を表示する際に、青マーカオブジェクトが付与された注目箇所「前  ○○・・・○○」が最上部になるように表示する。なお、項目に対応する内容は、スクロールして他の内容（意味）も表示可能である。単語帳制御部２２１は、戻るボタンＢＫが選択されると、表示部５０の表示を表示画面例Ｇ２２に戻す。
【００７９】
図２０は、本実施形態に係る制御部２０ｂの単語帳制御処理の一例を示すフローチャートである。単語帳制御部２２１は、単語帳を表示する指示を入力部４０が受け付けると、本図に示す処理を実行する。
【００８０】
（ステップＳＴ３０１）単語帳制御部２２１は、単語帳を表示部５０に表示する（例えば、図１７参照）。その後、ステップＳＴ３０２の処理に進む。
（ステップＳＴ３０２）単語帳制御部２２１は、学習を開始する指示が入力されたか否かを判定する。具体的には、単語帳制御部２２１は、学習開始ボタンＳＴが選択された場合に、学習を開始する指示が入力されたと判定する。学習を開始する指示が入力されたと単語帳制御部２２１が判定した場合には、ステップＳＴ３０３の処理に進む。また、学習を開始する指示が入力されていないと単語帳制御部２２１が判定した場合には、処理を終了する。
【００８１】
（ステップＳＴ３０３）単語帳制御部２２１は、暗記カード（例えば、図１８参照）を表示部５０に表示する。その後、ステップＳＴ３０４の処理に進む。
（ステップＳＴ３０４）単語帳制御部２２１は、暗記カードに表示している項目の内容をユーザが覚えていたか否かを判定する。具体的には、単語帳制御部２２１は、覚えていたボタンＲＷが選択された場合に覚えていたと判定し、忘れていたボタンＦＷが選択された場合に忘れていたと判定する。項目の内容を覚えていたと単語帳制御部２２１が判定した場合には、ステップＳＴ３０５の処理に進む。また、項目の内容を忘れていたと単語帳制御部２２１が判定した場合にはステップＳＴ３０６の処理に進む。
【００８２】
（ステップＳＴ３０５）単語帳制御部２２１は、暗記カードに表示している項目に対応する学習結果に覚えていたことを示すデータを書き込んで単語帳データ記憶部３３に記憶する。その後、ステップＳＴ３０７の処理に進む。
（ステップＳＴ３０６）単語帳制御部２２１は、暗記カードに表示している項目に対応する学習結果に忘れていたことを示すデータを書き込んで単語帳データ記憶部３３に記憶する。その後、ステップＳＴ３０７の処理に進む。
【００８３】
（ステップＳＴ３０７）単語帳制御部２２１は、次の項目を表示する指示が入力されたか否かを判定する。具体的には、単語帳制御部２２１は、次カードボタンＣＤ１が選択された場合に、次の項目を表示する指示が入力されたと判定する。次の項目を表示する指示が入力されたと単語帳制御部２２１が判定した場合には、ステップＳＴ３０８の処理に進む。また、次の項目を表示する指示が入力されていないと単語帳制御部２２１が判定した場合には、ステップＳＴ３０９の処理に進む。
【００８４】
（ステップＳＴ３０８）単語帳制御部２２１は、単語帳の次の項目の暗記カードを表示部５０に表示する。その後、ステップＳＴ３０４の処理に戻る。
【００８５】
（ステップＳＴ３０９）単語帳制御部２２１は、前の項目を表示する指示が入力されたか否かを判定する。具体的には、単語帳制御部２２１は、前カードボタンＣＤ２が選択された場合に、前の項目を表示する指示が入力されたと判定する。前の項目を表示する指示が入力されたと単語帳制御部２２１が判定した場合には、ステップＳＴ３１０の処理に進む。また、次の項目を表示する指示が入力されていないと単語帳制御部２２１が判定した場合には、ステップＳＴ３１１の処理に進む。
【００８６】
（ステップＳＴ３１０）単語帳制御部２２１は、単語帳の前の項目の暗記カードを表示部５０に表示する。その後、ステップＳＴ３０４の処理に戻る。
【００８７】
（ステップＳＴ３１１）単語帳制御部２２１は、項目の内容を確認する指示が入力されたか否かを判定する。具体的には、単語帳制御部２２１は、確認ボタンＣＫが選択された場合に、項目の内容を確認する指示が入力されたと判定する。項目の内容を確認する指示が入力されたと単語帳制御部２２１が判定した場合には、ステップＳＴ３１２の処理に進む。また、項目の内容を確認する指示が入力されていないと単語帳制御部２２１が判定した場合には、ステップＳＴ３１４の処理に進む。
【００８８】
（ステップＳＴ３１２）単語帳制御部２２１は、暗記カードの項目の内容（注目箇所）を表示部５０に表示する（例えば、図１９参照）。このとき、単語帳制御部２２１は、オブジェクトの付与された注目箇所が最上部になるように内容を表示する。その後、ステップＳＴ３１３の処理に進む。
【００８９】
（ステップＳＴ３１３）単語帳制御部２２１は、暗記カードに戻る指示が入力されたか否かを判定する。具体的には、単語帳制御部２２１は、戻るボタンＢＫが選択された場合に、暗記カードに戻る指示が入力されたと判定する。暗記カードに戻る指示が入力されたと単語帳制御部２２１が判定した場合には、ステップＳＴ３０３の処理に戻る。また、暗記カードに戻る指示が入力されていないと単語帳制御部２２１が判定した場合には、ステップＳＴ３１３の処理を再度実行する。
【００９０】
（ステップＳＴ３１４）単語帳制御部２２１は、暗記カードを中止する指示が入力されたか否かを判定する。具体的には、単語帳制御部２２１は、中止ボタンＣＤ３が選択された場合に、暗記カードを中止する指示が入力されたと判定する。中止する指示が入力されたと単語帳制御部２２１が判定した場合には、処理を終了する。また、中止する指示が入力されていないと単語帳制御部２２１が判定した場合には、ステップＳＴ３０４の処理に戻る。
【００９１】
なお、本実施形態では、単語帳における項目の順序をアルファベット順としたが、これに限らず、登録された（オブジェクトが付与された）順やランダム等、設定に応じてその順序を変更できるようにしてもよい。
【００９２】
また、単語帳制御部２２１は、学習結果において忘れていた「×」が多い項目の表示頻度が高くなるように暗記カードを表示してもよい。例えば、単語帳制御部２２１は、暗記カードの項目を順に表示する場合には、学習結果「×」の多い項目の順序を先にする。また、単語帳制御部２２１は、暗記カードの項目をランダムに表示する場合には、学習結果「×」の多い項目の当たる確率を高くする。これにより、忘れていた項目を優先的に学習することができるため、ユーザの学習効率が向上する。
【００９３】
また、単語帳制御部２２１は、学習結果において覚えていた「○」がＮ回（例えば、３回）以上続いた項目を単語帳又は暗記カードに表示させないようにしてもよい。これにより、覚えている項目を何度も表示することがなくなり、ユーザの学習効率が向上する。
【００９４】
また、単語帳制御部２２１は、オブジェクトの付与された全ての項目を表示するモード、覚えていない項目を優先的に表示させるモード等を設け、各モードに応じて暗記カードに表示する項目を決定してもよい。
【００９５】
このように、本実施形態によれば、辞書機能を備える電子機器（電子辞書１０ｂ）は、電子辞書１０の構成に加えて、オブジェクトの付与された注目箇所と当該注目箇所の項目とから構成される単語帳を表示部５０に表示させる単語帳制御部２２１を備える。
【００９６】
これにより、辞書機能を備える電子機器（電子辞書１０ｂ）は、オブジェクトの付与された項目の単語帳を生成して表示することができる。このため、ユーザがマーカ等のオブジェクトを項目の内容に付与するだけで、単語帳を自動的に生成することができるため、ユーザの利便性を向上させることができる。
【００９７】
また、単語帳制御部２２１は、単語帳データ記憶部３３に記憶している学習結果を項目に対応付けて表示部５０に表示しているため、ユーザは各項目の学習結果を容易に確認することができる。
【００９８】
（第４の実施形態）
次に、本発明の第４の実施形態について説明する。図２１は、本実施形態に係る電子辞書１０ｃの構成の一例を示す概略ブロック図である。なお、本図において、図１に示す電子辞書１０と同一の構成には同一の符号を付し、その説明を省略する。本実施形態における電子辞書１０ｃは、第１の実施形態における電子辞書１０の制御部２０に代えて制御部２０ｃを備え、記憶部３０に代えて記憶部３０ｃを備える。制御部２０ｃは、第１の実施形態における制御部２０の構成に加えてコメント管理部２３１と有効期限管理部２３２とオブジェクト情報管理部２３３とを備え、対応付け部２４に代えて対応付け部２４ｃを備え、検索部２５に代えて検索部２５ｃを備える。記憶部３０ｃは、第１の実施形態における記憶部３０のオブジェクト情報記憶部３２に代えてオブジェクト情報記憶部３２ｃを備える。
【００９９】
コメント管理部２３１は、付与部２３がオブジェクトを付与した注目箇所にコメントを付与する。例えば、コメント管理部２３１は、注目箇所にオブジェクトが付与されると、コメントの一覧を表示部５０に表示する。そして、コメント管理部２３１は、コメントの一覧から選択されたコメントを当該注目箇所に付与する。或いは、コメント管理部２３１は、コメントを入力するコメント入力欄を表示部５０に表示し、コメント入力欄に入力されたコメントを当該注目箇所に付与する。コメント管理部２３１は、付与したコメントを対応付け部２４ｃに出力する。
【０１００】
有効期限管理部２３２は、付与部２３がオブジェクトを付与した注目箇所に有効期限を付与する。例えば、有効期限管理部２３２は、注目箇所にオブジェクトが付与されると、有効期限の入力を受け付けるための有効期限入力欄を表示部５０に表示し、有効期限入力欄に入力された有効期限を当該注目箇所に付与する。有効期限管理部２３２は、付与した有効期限を対応付け部２４ｃに出力する。また、有効期限管理部２３２は、所定のタイミング（例えば、電子辞書１０ｃの起動時）に、オブジェクト情報記憶部３２ｃを参照し、有効期限が過ぎているオブジェクト情報をオブジェクト情報記憶部３２ｃから削除する。
【０１０１】
対応付け部２４ｃは、第１の実施形態における対応付け部２４の機能に加えて、注目情報と、識別情報と、付与情報と、コメント管理部２３１から入力されたコメントと、現在の日時と、有効期限管理部２３２から入力された有効期限とを対応付けて、オブジェクト情報としてオブジェクト情報記憶部３２ｃに記憶させる。
【０１０２】
検索部２５ｃは、第１の実施形態における検索部２５の機能に加えて、コメントをオブジェクト検索対象とする。例えば、検索部２５ｃは、各オブジェクト情報に付与されたコメントの一覧を表示し、一覧から選択されたコメントが付与されたオブジェクト情報をオブジェクト情報記憶部３２ｃから読み出す。そして、検索部２５ｃは読み出したオブジェクト情報から、辞書データ識別情報が表す辞書データのアイコンと項目識別情報が表す項目と注目箇所とを、オブジェクト検索結果として表示部５０に表示させる。
【０１０３】
検索部２５ｃは、オブジェクト検索結果を日付で並べ替える指示を入力部４０が受け付けると、表示したオブジェクト検索結果をオブジェクトの付与された日時の順に並べ替えて表示する。
【０１０４】
オブジェクト情報管理部２３３は、オブジェクト情報の注目箇所が参照されると、現在の日時を当該オブジェクト情報の最終参照日時としてオブジェクト情報記憶部３２ｃに書き込む。最終参照日時は、注目箇所が最後に参照された日時である。また、オブジェクト情報管理部２３３は、所定のタイミング（例えば、電子辞書１０ｃ起動時等）になると、所定期間α以上参照されていないオブジェクト情報をオブジェクト情報記憶部３２ｃから読み出し、アラーム「覚えていますか？」とともに、読み出したオブジェクト情報の項目を表示部５０に表示する。所定期間α以上参照されていないオブジェクト情報とは、最終参照日時から所定期間α以上経過しているオブジェクト情報である。なお、所定期間αは、青マーカオブジェクトの場合は３か月、黄マーカオブジェクトの場合は６か月、赤マーカオブジェクトの場合は１年等、オブジェクトの種類に応じて異なっていてもよい。
【０１０５】
オブジェクト情報記憶部３２ｃは、第１の実施形態におけるオブジェクト情報記憶部３２が記憶するデータに加えて、各オブジェクト情報のコメントと、オブジェクトが付与された日時と、有効期限と、最終参照日時とを記憶する。
【０１０６】
図２２は、本実施形態に係るオブジェクト情報記憶部３２ｃが記憶するオブジェクト情報の一例を示す概略図である。図示するように、オブジェクト情報は、注目情報と、識別情報と、付与情報と、日時情報と、コメント情報と、有効期限と、最終参照日時とを有する。日時情報は、オブジェクトが付与された日時である。コメント情報は、注目箇所に付与されたコメントである。
【０１０７】
図２３は、本実施形態に係る表示部５０が表示する表示態様の一例を示す概略図である。本図は、注目箇所にコメントを付与するための表示画面例Ｇ３１である。コメント管理部２３１は、注目箇所「○○・・・○○」にオブジェクトが付与されると、コメントを付与するためのポップアップＣＭ１を表示部５０に表示する。ポップアップＣＭ１には、説明「コメントの種類を選択してください。新しいコメント作成する場合には、『追加』を押してください。」と、選択ボタンＣＢ１と、取り消しボタンＣＢ２と、追加ボタンＣＢ３と、戻るボタンＣＢ４と、コメント一覧ＣＬとが表示されている。コメント一覧ＣＬには、過去に入力したコメントの一覧が表示されている。
【０１０８】
コメント管理部２３１は、選択ボタンＣＢ１が選択されると、コメント一覧ＣＬにおいて選択されているコメント「○○高校２年  △期模擬試験対策」Ｃ１１を注目箇所「○○・・・○○」に付与する。また、コメント管理部２３１は、取り消しボタンＣＢ２が選択されると、コメントの付与を取り消す。また、コメント管理部２３１は、追加ボタンＣＢ３が選択されると、コメントを新たに記入するためのコメント入力欄を表示部５０に表示する。また、コメント管理部２３１は、戻るボタンＣＢ４が選択されると、ポップアップＣＭ１を非表示にする。
【０１０９】
図２４は、本実施形態に係る表示部５０が表示する表示態様の一例を示す概略図である。本図は、表示画面例Ｇ３１において追加ボタンＣＢ３が選択された場合に表示される表示画面例Ｇ３２である。コメント管理部２３１は、追加ボタンＣＢ３が選択されると、ポップアップＣＭ２を表示部５０に表示する。ポップアップＣＭ２には、説明「新しいコメントを作成します。入力し『決定』を押します。中止する場合は『中止』を押します。」と、中止ボタンＣＢ２１と、決定ボタンＣＢ２２と、コメントを入力するためのコメント入力欄ＣＩとが表示されている。コメント管理部２３１は、中止ボタンＣＢ２１が選択されると、コメントの入力を中止して、表示部５０の表示を表示画面例Ｇ３１に戻す。また、コメント管理部２３１は、決定ボタンＣＢ２２が選択されると、コメント入力欄ＣＩに入力されたコメント「○○高校２年  △期模擬試験対策」を注目箇所「○○・・・○○」に付与して、表示部５０の表示を表示画面例Ｇ３１に戻す。
【０１１０】
図２５は、本実施形態に係る制御部２０ｃのオブジェクト情報記憶処理の一例を示すフローチャートである。制御部２０ｃは、上述したステップＳ１１２の処理の際に、本図に示す処理を実行する。
【０１１１】
（ステップＳＴ４０１）付与部２３は、選択されたオブジェクトを選択された注目箇所に付与する。その後、ステップＳＴ４０２の処理に進む。
（ステップＳＴ４０２）付与部２３は、当該注目箇所に当該オブジェクトを付与して表示部５０に表示する。その後、ステップＳＴ４０３の処理に進む。
【０１１２】
（ステップＳＴ４０３）コメント管理部２３１は、コメントの入力を受け付ける（例えば、図２３又は図２４参照）。コメント管理部２３１は、入力されたコメントを選択された注目箇所に付与する。その後、ステップＳＴ４０４の処理に進む。
（ステップＳＴ４０４）有効期限管理部２３２は、有効期限の入力を受け付ける。有効期限管理部２３２は、入力された有効期限を選択された注目箇所に付与する。その後、ステップＳＴ４０５の処理に進む。
【０１１３】
（ステップＳＴ４０５）対応付け部２４ｃは、注目箇所を表す情報と、ステップＳＴ４０１において付与されたオブジェクトと、ステップＳＴ４０３において付与されたコメントと、ステップＳＴ４０４において付与された有効期限と、現在の日時とを含むオブジェクト情報をオブジェクト情報記憶部３２ｃに書き込んで記憶する。その後、処理を終了する。
【０１１４】
このように、本実施形態によれば、辞書機能を備える電子機器（電子辞書１０ｃ）は、電子辞書１０の構成に加えて、オブジェクトを付与した注目箇所にコメントを付与するコメント管理部２３１をさらに備える。
【０１１５】
これにより、辞書機能を備える電子機器（電子辞書１０ｃ）は、付与したコメントの一覧から注目箇所を参照することができる。このため、ユーザの利便性を向上させることができる。
【０１１６】
また、対応付け部２４ｃは、日時情報をオブジェクト情報に付与してオブジェクト情報記憶部３２ｃに記憶する。検索部２５ｃは、オブジェクト検索結果を日時で並べ替える指示を入力部４０が受け付けると、表示したオブジェクト検索結果を日時情報の順に並べ替えて表示する。これにより、ユーザが古いオブジェクト（例えば、マーカ等）を整理することができる。
【０１１７】
また、有効期限管理部２３２は、注目箇所に有効期限を付与する。有効期限管理部２３２は、現在日時と各オブジェクト情報の有効期限とを比較し、有効期限の過ぎているオブジェクト情報をオブジェクト情報記憶部３２ｃから削除する。これにより、試験用、暗記用等の一時的な利用の為に設定したオブジェクトを自動的に整理することができる。なお、本実施形態では、有効期限管理部２３２は、有効期限の過ぎているオブジェクト情報を自動的に削除しているが、これに限らず、「削除しますか？」等のメッセージが記載された確認画面を表示し、確認画面で削除することが選択された場合に、オブジェクト情報を削除してもよい。また、本実施形態では、有効期限管理部２３２は、有効期限の過ぎているオブジェクト情報をオブジェクト情報記憶部３２ｃから削除しているが、これに限らず、有効期限を過ぎているオブジェクト情報を単語帳から除外してもよい。
【０１１８】
また、オブジェクト情報管理部２３３は、所定期間以上参照されていないオブジェクト情報を確認する表示を表示部５０にする。これにより、所定期間以上参照されていないオブジェクト情報に関する注意喚起をユーザに促すことができる。
【０１１９】
（第５の実施形態）
次に、本発明の第５の実施形態について説明する。図２６は、本実施形態に係る電子辞書１０ｄの構成の一例を示す概略ブロック図である。なお、本図において、図１に示す電子辞書１０と同一の構成には同一の符号を付し、その説明を省略する。本実施形態における電子辞書１０ｄは、第１の実施形態における電子辞書１０の制御部２０に代えて制御部２０ｄを備え、記憶部３０に代えて記憶部３０ｄを備える。制御部２０ｄは、第１の実施形態における制御部２０の構成に加えてオブジェクト情報制御部２４１を備える。記憶部３０ｄは、第１の実施形態における記憶部３０のオブジェクト情報記憶部３２に代えてオブジェクト情報記憶部３２ｄを備える。他の構成は、第１の実施形態と同様である。
【０１２０】
オブジェクト情報制御部２４１は、入力部４０から入力される操作信号に基づいて、オブジェクト情報記憶部３２ｄに記憶されているオブジェクト情報を読み出し、読み出したオブジェクト情報を記憶媒体又は他の装置に出力する。記憶媒体は、外部メモリやハードディスク等である。他の装置は、ネットワークに接続されたサーバ装置やパーソナルコンピュータ、スマートフォン、タブレット、携帯電話機等である。
【０１２１】
オブジェクト情報記憶部３２ｄは、オブジェクト情報を辞書毎に分割して保持する。図２７は、本実施形態に係るオブジェクト情報記憶部３２ｄが記憶するオブジェクト情報の一例を示す概略図である。図示するように、オブジェクト情報は、辞書ＩＤと、マーカ種類と、文字位置情報と、付箋情報と、日時情報と、コメント情報と、ユーザ情報とを有する。辞書ＩＤは、辞書データの識別情報である。マーカ種類（付与情報）は、マーカの種類である。文字位置情報（注目情報及び識別情報）は、注目箇所の文字列や内容における注目箇所の行及び列である。付箋情報（付与情報）は、付箋に関する情報である。日時情報は、オブジェクトが付与された日時である。コメント情報は、注目箇所に付与されたコメントである。ユーザ情報は、ユーザに関する情報である。
【０１２２】
このように、本実施形態によれば、辞書機能を備える電子機器（電子辞書１０ｄ）は、電子辞書１０の構成に加えて、オブジェクト情報を辞書毎に記憶するオブジェクト情報記憶部３２ｄをさらに備える。
【０１２３】
これにより、辞書機能を備える電子機器（電子辞書１０ｄ）は、オブジェクト情報を、辞書毎にバックアップや、他者と共有できる。また、過去のユーザのオブジェクト情報を辞書データに添付して販売することも可能である。
【０１２４】
なお、上述した一実施形態における電子辞書１０，１０ａ，１０ｂ，１０ｃ，１０ｄの一部、または全部をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、電子辞書１０，１０ａ，１０ｂ，１０ｃ，１０ｄに内蔵されたコンピュータシステムであって、ＯＳや周辺機器等のハードウェアを含むものとする。
【０１２５】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。
【０１２６】
また上記プログラムは、前述した機能の一部を実現するためのものであっても良く、さらに前述した機能をコンピュータシステムにすでに記録されているプログラムとの組み合わせで実現できるものであっても良い。
【０１２７】
また、上述した実施形態における電子辞書１０，１０ａ，１０ｂ，１０ｃ，１０ｄの一部、または全部を、ＬＳＩ（Ｌａｒｇｅ  Ｓｃａｌｅ  Ｉｎｔｅｇｒａｔｉｏｎ）等の集積回路として実現しても良い。電子辞書１０の各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【０１２８】
辞書機能を備える電子機器（電子辞書１０）は、注目箇所に関する情報および複数の項目と当該項目のそれぞれに対応する内容を対応付けて記憶する記憶部３０と、検索文字列に応じた前記注目箇所に関する情報および前記検索文字列に応じた項目と当該項目に対応する内容を前記記憶部３０から検索する検索部（項目検索部２１）と、前記検索部（項目検索部２１）により検索された前記注目箇所に関する情報および項目と当該項目に対応する内容とを表示する表示部５０と、前記表示部５０に表示された項目に対応する内容の一部を注目箇所として選択する選択部２２と、前記選択部２２により選択された前記注目箇所と前記項目に対応する内容とを対応付ける対応付け部２４と、を備え、前記注目箇所に関する情報は、前記選択部２２がユーザの指定に応じて注目箇所を選択し、前記対応付け部２４が前記注目箇所と前記検索部（項目検索部２１）により検索された項目に対応する内容とを対応付けることで生成される。
【０１２９】
ここで、注目箇所に関する情報とは、注目情報と識別情報とを含む情報である。注目情報とは、注目箇所における項目に対応する内容の一部の文字列や画像などの情報である。
また、識別情報とは、当該注目箇所における項目に対応する項目の項目識別情報と当該注目箇所における項目が含まれる辞書データの辞書データ識別情報と当該注目箇所における項目に対応する内容における行を識別する行識別情報および列を識別する列識別情報とを含む識別情報である。
【０１３０】
以上、図面を参照してこの発明の一実施形態について詳しく説明してきたが、具体的な構成は上述のものに限られることはなく、この発明の要旨を逸脱しない範囲内において様々な設計変更等をすることが可能である。
【０１３１】
例えば、上述した実施形態では、電子辞書１０内でオブジェクト情報を使用しているが、各電子辞書１０のオブジェクト情報を他の電子辞書１０と共有できるようにしてもよい。この場合、サーバ装置が、各電子辞書１０のオブジェクト情報を保持し、各電子辞書１０からの要求に応じて保持しているオブジェクト情報を各電子辞書１０に提供する。電子辞書１０とサーバ装置はネットワークを介して接続する。各電子辞書１０は、所定のタイミング（例えば、起動時）になると、サーバ装置に自装置のオブジェクト情報を送信する。電子辞書１０は、サーバ装置に接続し、共有されているオブジェクト情報（共有オブジェクト情報）をマーカの種類やコメント等により検索して一覧表示し、一覧から各辞書の共有オブジェクト情報をダウンロードして参照することができる。これにより、学校の試験問題に関連した単語の解説や例文、誤った表現などをユーザ同士で共有して試験対策に利用できる。
【０１３２】
また、電子辞書１０は、オブジェクト情報を共有する際に、オブジェクト情報にユーザの属性情報を添付し、ユーザの属性情報ごとにオブジェクト情報を分類してもよい。属性情報は、例えば、高校生、大学生、社会人等である。電子辞書１０は、オブジェクト情報をサーバ装置に送信する際に、オブジェクト情報にユーザの属性情報を添付する。サーバ装置は、マーカを持つ項目の統計データをユーザの属性情報毎にまとめ、まとめた統計データを各電子辞書１０に送信して一覧表示させる。電子辞書１０は、統計データを表示する際に、サーバ装置から統計データをダウンロードして受信する。これにより、電子辞書１０は、ユーザの属性情報毎に、マーカ数の多い順などに並べ替えてオブジェクト情報を表示できる。また、サーバ装置は、ユーザの属性情報に限らず、オブジェクトの種類（マーカの種類や付箋情報等）毎にオブジェクト情報の統計データを生成して電子辞書１０に送信してもよい。
【０１３３】
また、電子辞書１０は、オブジェクトの付与された注目箇所（例えば、マーカを引いた部分の文字列）のみを対象に検索を行える機能を備えていてもよい。例えば、電子辞書１０は、「誤った表現」、「間違い」、「慣用句」など一定の分類でオブジェクト情報を検索する。これにより、オブジェクトの付与された注目箇所を一定の分類でまとめて探したい場合等に利用することができる。
【０１３４】
また、電子辞書１０は、項目の内容（例えば、辞書の訳、説明部分）に一括でオブジェクト（例えば、マーカ）を自動的に付与する機能を備えていてもよい。例えば、電子辞書１０は、訳の中の決まった語句（例えば、「解説」、「語法」、「間違いやすい表現」など）に一括で自動的にオブジェクト（例えば、マーカ）を付与する。語句の種類及び付与するオブジェクトは、ユーザが選択して設定可能である。また、電子辞書１０は、自動的に付与したオブジェクトを一括削除すこともできる。
【符号の説明】
【０１３５】
１０，１０ａ，１０ｂ，１０ｃ，１０ｄ  電子辞書
２０，２０ａ，２０ｂ，２０ｃ，２０ｄ  制御部
２１  項目検索部
２２  選択部
２３  付与部
２４，２４ｃ  対応付け部
２５，２５ｃ  検索部
３０，３０ｂ，３０ｃ，３０ｄ  記憶部
３１  辞書データ記憶部
３２，３２ｃ，３２ｄ  オブジェクト情報記憶部
３３  単語帳データ記憶部
４０  入力部
５０  表示部
６０  タッチパネル
２１１  注目箇所表示制御部
２２１  単語帳制御部
２３１  コメント管理部
２３２  有効期限管理部
２３３  オブジェクト情報管理部
２４１  オブジェクト情報制御部
【図１】
2015028771.tif 000003
【図２】
2015028771.tif 000004
【図３】
2015028771.tif 000005
【図４】
2015028771.tif 000006
【図５】
2015028771.tif 000007
【図６】
2015028771.tif 000008
【図７】
2015028771.tif 000009
【図８】
2015028771.tif 000010
【図９】
2015028771.tif 000011
【図１０】
2015028771.tif 000012
【図１１】
2015028771.tif 000013
【図１２】
2015028771.tif 000014
【図１３】
2015028771.tif 000015
【図１４】
2015028771.tif 000016
【図１５】
2015028771.tif 000017
【図１６】
2015028771.tif 000018
【図１７】
2015028771.tif 000019
【図１８】
2015028771.tif 000020
【図１９】
2015028771.tif 000021
【図２０】
2015028771.tif 000022
【図２１】
2015028771.tif 000023
【図２２】
2015028771.tif 000024
【図２３】
2015028771.tif 000025
【図２４】
2015028771.tif 000026
【図２５】
2015028771.tif 000027
【図２６】
2015028771.tif 000028
【図２７】
2015028771.tif 000029